(57)【要約】【課題】製造コストの低廉化と軽量化とを図ることができるとともに、不使用の薬剤収納空間を服用単位の薬剤よりも大きな表面積を有する常備薬等の管理にも便利に使用することができるようにする。【解決手段】合成樹脂製シート又は合成樹脂製フィルムを基材として一週間分の薬剤を少なくとも朝、昼、夕に区別した状態で各別に収納可能な上方開口の薬剤収納空間Ｓを区画形成してある容器本体Ａに、前記各薬剤収納空間Ｓを曜日単位で区画する仕切り体Ｃが脱着自在に設けられているとともに、前記薬剤収納空間Ｓを区画形成する側壁部１，２と底壁部３との少なくとも一方には、前記仕切り体Ｃを所定仕切り位置で脱着自在に係合保持する凹状又は凸状の係合部４が形成されている。【選択図】図３
2013169241.tif 000002
【特許請求の範囲】
【請求項１】
合成樹脂製シート又は合成樹脂製フィルムを基材として一週間分の薬剤を少なくとも朝、昼、夕に区別した状態で各別に収納可能な上方開口の薬剤収納空間を区画形成してある容器本体に、前記各薬剤収納空間を曜日単位で区画する仕切り体が脱着自在に設けられているとともに、前記薬剤収納空間を区画形成する側壁部と底壁部との少なくとも一方には、前記仕切り体を所定仕切り位置で脱着自在に係合保持する凹状又は凸状の係合部が形成されている薬剤管理ケース。
【請求項２】
前記容器本体には、合成樹脂製シート又は合成樹脂製フィルムを基材として成形された蓋体が脱着又は開閉自在に装着されている請求項１記載の薬剤管理ケース。
【請求項３】
前記仕切り体の上側辺には、その上側辺よりも下方に入り込む摘み操作用凹部が形成されている請求項１又は請求項２記載の薬剤管理ケース。
【請求項４】
前記容器本体の各薬剤収納空間の底壁部のうち、前記仕切り体によって曜日単位で区画形成される最小区画底壁部分の上面が、曜日方向の一端側ほど下方に位置する傾斜上面に形成され、前記最小区画底壁部分の曜日方向の一端部には、前記最小区画底壁部分の傾斜上面に沿って低位側に移動される仕切り体の下端部の一側面を受止め可能な段差部が形成されている請求項１〜３のいずれか１項に記載の薬剤管理ケース。
【請求項５】
前記最小区画底壁部分の曜日方向の一端部には、前記仕切り体の下端部の一側面が前記段差部に当接したとき、当該仕切り体の下端部の少なくとも一部が上方から係合する前記係合部の下側係合凹部が形成されている請求項４記載の薬剤管理ケース。
【請求項６】
前記容器本体の側壁部の上面には、前記仕切り体の下端部の一側面が前記段差部に当接したとき、当該仕切り体の両横側部に突出形成された上側係止片が上方から係合する前記係合部の上側係合凹部が形成されている請求項４又は５記載の薬剤管理ケース。
【請求項７】
前記仕切り体が、各薬剤収納空間単位で色分け形成されている請求項１〜６のいずれか１項に記載の薬剤管理ケース。
【請求項８】
合成樹脂製シート又は合成樹脂製フィルムを基材として一週間分の薬剤を曜日単位で各別に収納可能な上方開口の薬剤収納空間を区画形成してある容器本体に、前記各薬剤収納空間を少なくとも朝、昼、夕に区別した状態で区画する仕切り体が脱着自在に設けられているとともに、前記薬剤収納空間を区画形成する側壁部と底壁部との少なくとも一方には、前記仕切り体を所定仕切り位置で脱着自在に係合保持する凹状又は凸状の係合部が形成されている薬剤管理ケース。
【発明の詳細な説明】
【技術分野】
【０００１】
本発明は、看者固有の治療方針に基づいて投与される薬剤の一週間分を服用単位で分けて管理する薬剤管理ケースに関する。
【背景技術】
【０００２】
薬剤の一週間分を服用単位で分けて管理する薬剤管理ケースとしては、次の二つの形態のものが存在する。
（１）上方に開口する合成樹脂製の容器本体と、当該容器本体における一方の長辺側の側壁に薄肉のヒンジ部を介して揺動開閉自在に一体形成される蓋体、及び、閉蓋時において容器本体と蓋体とにより形成された空間内に収納されるトレーとからなり、前記トレーには、上方に開口する７行・三列の薬剤収納空間に区画する周壁及び格子状の区画壁と各薬剤収納空間の底面を形成する半円筒状の底壁部とが一体形成されている薬剤管理ケース（例えば、特許文献１参照）。
【０００３】
また、この薬剤管理ケースでは、トレーの第一列目の薬剤収納空間と第二列目の薬剤収納空間との隣接間に位置する区画壁部の上面には、１週間分の曜日を表示する表示部が形成されているとともに、トレーにおける第１行目の薬剤収納空間の前壁部の上面には、朝・昼・夜の一日の特定時間を表示する表示部が形成されている。
【０００４】
（２）上方に開口する紙製の容器本体と、当該容器本体における一方の長辺側の側壁に薄肉のヒンジ部を介して揺動開閉自在に一体形成される紙製の蓋体、及び、閉蓋時において容器本体と蓋体とにより形成された空間内に収納される仕切り枠とからなり、前記仕切り枠には、７行・四列の薬剤収納空間に区画する格子状の区画壁と各薬剤収納空間の底面を形成する傾斜姿勢の底壁部とが一体形成されている薬剤管理ケース（例えば、特許文献２参照）。
【０００５】
また、この薬剤管理ケースでは、容器本体の一方の長辺側の側壁内面とこれに対面する仕切り枠の第１列側の端部との間に、１週間分の曜日を表示してある角筒状の曜日表示体が脱着自在に設けられているとともに、容器本体の一方の短辺側の側壁内面とこれに対面する仕切り枠の第１行目側の端部との間には、朝・昼・夜・寝前の一日の特定時間を表示してある角筒状の時間帯表示体が脱着自在に設けられている。
【先行技術文献】
【特許文献】
【０００６】
【特許文献１】特開平１０−１１３３７７号公報
【特許文献２】特開２００１−１０６２２４号公報
【発明の概要】
【発明が解決しようとする課題】
【０００７】
前者の薬剤管理ケースでは、容器本体と蓋体とを樹脂で一体成形するため、金型が大きくなり、しかも、容器本体と蓋体とにより形成された空間内に収納されるトレーも樹脂で別途成形するため、製造コストの高騰化を招来するとともに、薬剤管理ケースが重量化する問題がある。
【０００８】
後者の薬剤管理ケースでは、容器本体と蓋体とを紙で一体形成するため、所定形状に打ち抜き形成された平紙を折畳んで組み立てる必要があり、しかも、容器本体と蓋体とにより形成された空間内に収納される仕切り枠を樹脂又は紙で別途製作する必要があるため、製造コストの高騰化を招来するとともに、薬剤管理ケースが重量化する問題がある。
【０００９】
本発明は、上述の実状に鑑みて為されたものであって、その主たる課題は、製造コストの低廉化と軽量化とを図ることができるとともに、不使用の薬剤収納空間を服用単位の薬剤よりも大きな表面積を有する常備薬等の管理にも便利に使用することのできる薬剤管理ケースを提供する点にある。
【課題を解決するための手段】
【００１０】
本発明による第１の特徴構成は、合成樹脂製シート又は合成樹脂製フィルムを基材として一週間分の薬剤を少なくとも朝、昼、夕に区別した状態で各別に収納可能な上方開口の薬剤収納空間を区画形成してある容器本体に、前記各薬剤収納空間を曜日単位で区画する仕切り体が脱着自在に設けられているとともに、前記薬剤収納空間を区画形成する側壁部と底壁部との少なくとも一方には、前記仕切り体を所定仕切り位置で脱着自在に係合保持する凹状又は凸状の係合部が形成されている点にある。
【００１１】
上記構成によれば、上方開口の薬剤収納空間を区画形成してある容器本体を合成樹脂製シート又は合成樹脂製フィルムを基材として製作するため、容器本体を樹脂で射出成形する、又は、容器本体を紙で製作する場合に比して軽量化と製造コストの低廉化を図ることができる。
【００１２】
しかも、一週間分の薬剤を少なくとも朝、昼、夕に区別した状態で各別に収納可能な容器本体の各薬剤収納空間には、当該薬剤収納空間を曜日単位で区画する仕切り体が脱着自在に設けられているから、全ての仕切り体が装着された状態では、看者固有の治療方針に基づいて投与される薬剤の一週間分を服用単位で分けて管理することができるとともに、合成樹脂製シート又は合成樹脂製フィルム製の容器本体を頑丈に補強することができる。
【００１３】
また、不使用の薬剤収納空間がある場合では、それに設けられている仕切り体を取り外すことにより、この広い薬剤収納空間を服用単位の薬剤よりも大きな表面積を有する常備薬等の管理に便利に使用することができる。
【００１４】
さらに、薬剤収納空間を区画形成する側壁部と底壁部との少なくとも一方に、仕切り体を所定仕切り位置で脱着自在に係合保持する凹状又は凸状の係合部が形成されているので、仕切り体を所定仕切り位置に確実に保持することができるばかりでなく、この係合部の凹状又は凸状形成によって容器本体の側壁部又は底壁部若しくは両壁部を補強することができる。
【００１５】
本発明による第２の特徴構成は、前記容器本体には、合成樹脂製シート又は合成樹脂製フィルムを基材として成形された蓋体が脱着又は開閉自在に装着されている点にある。
【００１６】
上記構成によれば、容器本体と同様に、それに嵌合装着される蓋体も合成樹脂製シート又は合成樹脂製フィルムで製作することにより、薬剤管理ケースの軽量化と製造コストの低廉化を促進することができる。
【００１７】
本発明による第３の特徴構成は、前記仕切り体の上側辺には、その上側辺よりも下方に入り込む摘み操作用凹部が形成されている点にある。
【００１８】
上記構成によれば、容器本体の薬剤収納空間内に装着された仕切り体で区画されている薬剤収納最小単位空間内の収納薬剤を取り出す際、仕切り体の上側辺に形成した摘み操作用凹部から収納薬剤の上側部が露出するとともに、収納薬剤の上側部を摘んだ指と仕切り体とが干渉することを抑制することができるから、仕切り体で区画形成された薬剤収納最小単位空間の前後幅が狭い条件下でも収納薬剤を容易に取り出すことができる。
【００１９】
本発明による第４の特徴構成は、前記容器本体の各薬剤収納空間の底壁部のうち、前記仕切り体によって曜日単位で区画形成される最小区画底壁部分の上面が、曜日方向の一端側ほど下方に位置する傾斜上面に形成され、前記最小区画底壁部分の曜日方向の一端部には、前記最小区画底壁部分の傾斜上面に沿って低位側に移動される仕切り体の下端部の一側面を受止め可能な段差部が形成されている点にある。
【００２０】
上記構成によれば、容器本体の薬剤収納空間内の所定仕切り位置に仕切り体を装着する場合、この仕切り体の下端部の一側面が最小区画底壁部分の曜日方向の一端部に形成された段差部に当接するまで、仕切り体の下端部を最小区画底壁部分の傾斜上面に沿って低位側に滑り移動させるだけでよく、仕切り体を迅速・容易に装着することができる。
【００２１】
本発明による第５の特徴構成は、前記最小区画底壁部分の曜日方向の一端部には、前記仕切り体の下端部の一側面が前記段差部に当接したとき、当該仕切り体の下端部の少なくとも一部が上方から係合する前記係合部の下側係合凹部が形成されている点にある。
【００２２】
上記構成によれば、容器本体の薬剤収納空間内の所定仕切り位置に仕切り体を装着する場合、仕切り体の下端部を最小区画底壁部分の傾斜上面に沿って低位側に滑り移動させ、仕切り体の下端部の一側面が最小区画底壁部分の曜日方向の一端部に形成された段差部に当接した時点で、最小区画底壁部分の曜日方向の一端部に形成した係合部の下側係合凹部に対して、仕切り体の下端部の少なくとも一部を落し込み形態で係合させることができるから、仕切り体を位置ずれのない状態で迅速・容易に装着することができる。
【００２３】
本発明による第６の特徴構成は、前記容器本体の側壁部の上面には、前記仕切り体の下端部の一側面が前記段差部に当接したとき、当該仕切り体の両横側部に突出形成された上側係止片が上方から係合する前記係合部の上側係合凹部が形成されている点にある。
【００２４】
上記構成によれば、容器本体の薬剤収納空間内の所定仕切り位置に仕切り体を装着する場合、仕切り体の下端部を最小区画底壁部分の傾斜上面に沿って低位側に滑り移動させ、仕切り体の下端部の一側面が最小区画底壁部分の曜日方向の一端部に形成された段差部に当接した時点で、容器本体の側壁部の上面に形成された係合部の上側係合凹部に対して、仕切り体の両横側部に突出形成された上側係止片を落し込み形態で係合させることができるから、仕切り体を位置ずれのない状態で迅速・容易に装着することができる。
【００２５】
本発明による第７の特徴構成は、前記仕切り体が薬剤収納空間単位で色分けされている点にある。
【００２６】
上記構成によれば、容器本体の各薬剤収納空間内に装着されている仕切り体の色分けを見るだけで、朝、昼、夕のいずれに属する薬なのかを視覚的に簡単に区別することができ、薬の取り間違いを抑制することができる。
【００２７】
本発明による第８の特徴構成は、合成樹脂製シート又は合成樹脂製フィルムを基材として一週間分の薬剤を曜日単位で各別に収納可能な上方開口の薬剤収納空間を区画形成してある容器本体に、前記各薬剤収納空間を少なくとも朝、昼、夕に区別した状態で区画する仕切り体が脱着自在に設けられているとともに、前記薬剤収納空間を区画形成する側壁部と底壁部との少なくとも一方には、前記仕切り体を所定仕切り位置で脱着自在に係合保持する凹状又は凸状の係合部が形成されている点にある。
【００２８】
上記構成によれば、上方開口の薬剤収納空間を区画形成してある容器本体を合成樹脂製シート又は合成樹脂製フィルムを基材として製作するため、容器本体を樹脂で射出成形する、又は、容器本体を紙で製作する場合に比して軽量化と製造コストの低廉化を図ることができる。
【００２９】
しかも、一週間分の薬剤を曜日単位で各別に収納可能な容器本体の各薬剤収納空間には、当該薬剤収納空間を少なくとも朝、昼、夕に区別した状態で区画する仕切り体が脱着自在に設けられているから、全ての仕切り体が装着された状態では、看者固有の治療方針に基づいて投与される薬剤の一週間分を服用単位で分けて管理することができるとともに、合成樹脂製シート又は合成樹脂製フィルム製の容器本体を頑丈に補強することができる。
【００３０】
また、不使用の薬剤収納空間がある場合では、それに設けられている仕切り体を取り外すことにより、この広い薬剤収納空間を服用単位の薬剤よりも大きな表面積を有する常備薬等の管理に便利に使用することができる。
【００３１】
さらに、薬剤収納空間を区画形成する側壁部と底壁部との少なくとも一方には、仕切り体を所定仕切り位置で脱着自在に係合保持する凹状又は凸状の係合部が形成されているので、仕切り体を所定仕切り位置に確実に保持することができるばかりでなく、この係合部の凹状又は凸状形成によって容器本体の側壁部又は底壁部若しくは両壁部を補強することができる。
【図面の簡単な説明】
【００３２】
【図１】本発明の第１実施形態を示す薬剤管理ケースの斜視図
【図２】薬剤管理ケースの分解斜視図
【図３】図１のＩＩＩ−ＩＩＩ線断面図
【図４】容器本体の平面図
【図５】図４のＶ−Ｖ線断面図
【図６】仕切り体の斜視図
【図７】仕切り体の装着時の要部の断面図
【図８】本発明の第２実施形態を示す薬剤管理ケースの分解斜視図
【図９】本発明の第３実施形態を示す薬剤管理ケースの容器本体と仕切り体の斜視図
【図１０】第３実施形態の容器本体の断面図
【発明を実施するための形態】
【００３３】
〔第１実施形態〕
図１〜図７は、看者固有の治療処方方針に基づいて投与される薬剤の一週間分を服用単位で分けて管理する場合に用いられる薬剤管理ケースを示す。
【００３４】
この薬剤管理ケースは、合成樹脂製（例えば、ポリエチレン、ポリプロピレン、ポリスチレン等の熱可塑性樹脂）のシート又はフィルムを基材とする真空成形により形成された平面視矩形状の不透明な容器本体Ａと、当該容器本体Ａと同一の合成樹脂製のシート又はフィルムを基材とする真空成形により形成された透明な蓋体Ｂ、及び、容器本体Ａに形成された一週間分の薬剤を朝、昼、夕、寝前の一日４回分に区別した状態で各別に収納可能な上方開口の薬剤収納空間Ｓを曜日単位で７つの薬剤収納最小単位空間Ｓａに区画する脱着自在な合成樹脂製（例えば、ＡＢＳ樹脂）の複数個の仕切り体Ｃとから構成されている。
【００３５】
容器本体Ａには、平面視矩形状の外周側の側壁部１と、この外周側の側壁部１で囲まれた内部空間を長辺方向で四つの薬剤収納空間Ｓに区画形成する三つの内部仕切り側の側壁部２、及び、外周側の側壁部１における内側壁面体１Ａの下端縁と内部仕切り側の側壁部２における内側壁面体２Ａの下端縁とに連続する底壁部３とが主要構成として備えられているとともに、薬剤収納空間Ｓを区画形成する側壁部１，２と底壁部３には、仕切り体Ｃを所定仕切り位置で脱着自在に係合保持する凹状の係合部４が形成されている。
【００３６】
外周側の側壁部１は、図３、図５に示すように、下向きに開口する状態で略コの字に屈曲形成されているとともに、容器本体Ａの外周壁面を構成する外側壁面体１Ｂの高さ寸法は、容器本体Ａの内周壁面を構成する前記内側壁面体１Ａの高さ寸法よりも大に構成され、外側壁面体１Ｂの下端が載置面に接地した状態では、底壁部３の下面と載置面との間に空隙が形成される構成になっている。
【００３７】
外周側の側壁部１における外側壁面体１Ｂの上端縁と内側壁面体１Ａの上端縁とに連続する水平な環状長方形の上側壁面体１Ｃのうち、短辺方向の一端側となる前側上面壁部分１Ｃａの幅寸法は、左右の横側上面壁部分１Ｃｂ及び後側上面壁部分１Ｃｃの各幅よりも大に構成されている。
【００３８】
そして、上側壁面体１Ｃの幅広の前側上面壁部分１Ｃａには、４つの薬剤収納空間Ｓに対応する部位において１日の複数の服用時間帯である朝、昼、夕、寝前を表示する服用時間表示部Ｄ１と、服用者の氏名を表示する氏名表示部Ｄ２とが形成されているとともに、容器本体Ａの短辺の一方となる左側の横側上面壁部分１Ｃｂには、最手前側に日曜日が位置し、且つ、最奥側に月曜日が位置する状態で日曜日から月曜日までの曜日を表示する曜日表示部Ｄ３が形成されている。
【００３９】
この第１実施形態においては、容器本体Ａの服用時間表示部Ｄ１には、朝、昼、夕、寝前を印刷してある服用時間表示テープＴ１が貼り付けられ、氏名表示部Ｄ２には、氏名を印刷してある氏名表示テープＴ２が貼り付けられ、曜日表示部Ｄ３には、日曜日から月曜日までの曜日を印刷してある曜日表示テープＴ３が貼り付けられる。
【００４０】
容器本体Ａの外側壁面体１Ｂにおける長辺方向の複数箇所及ぶ短辺方向の複数箇所には、内方側に溝状に窪む横断面形状が略コの字状の補強縦溝部１ｂが屈曲形成されている。
【００４１】
内部仕切り側の側壁部２も、図５に示すように、下向きに開口する状態で略コの字に屈曲形成されているとともに、左右の内側壁面体２Ａとこれらの上端縁に連続形成される水平な上側壁面体２Ｂとから構成されている。
【００４２】
容器本体Ａの底壁部３のうち、仕切り体Ｃによって曜日単位で区画形成される最小区画底壁部分３Ａの上面が、曜日方向の一端側ほど下方に位置する、例えば、当該実施形態では、服用時間表示部Ｄ１が存在する手前側ほど下方に位置する傾斜上面に構成され、この最小区画底壁部分３Ａの曜日方向の一端部、つまり、服用時間表示部Ｄ１が存在する手前側の一端部には、最小区画底壁部分３Ａの傾斜上面に沿って低位側に移動操作される仕切り体Ｃの下端部における手前側の一側面を受止め可能な段差部５が形成されている。
【００４３】
図３〜図５、図７に示すように、最小区画底壁部分３Ａにおける服用時間表示部Ｄ１が存在する手前側の一端部には、仕切り体Ｃの下端部の一側面が段差部５に当接したとき、仕切り体Ｃの下端部の二箇所に突出形成した下側係合片６が上方から係合して当該仕切り体Ｃを所定仕切り位置に係合保持する係合部４の下側係合凹部４Ａが上方に開口する状態で形成されている。
【００４４】
この下側係合凹部４Ａは、最小区画底壁部分３Ａの横幅寸法よりも小で、且つ、仕切り体Ｃの両下側係合片６の外側面間寸法よりも少し大きな溝状に屈曲形成されている。
【００４５】
容器本体Ａのうち、外周側の側壁部１における上側壁面体１Ｃ及び内部仕切り側の側壁部２における上側壁面体２Ｂには、仕切り体Ｃの下端部の一側面が段差部５に当接したとき、仕切り体Ｃの両横側部の上端側に突出形成された上側係止片７が上方から係合して当該仕切り体Ｃを所定仕切り位置に係合保持する係合部４の上側係合凹部４Ｂが、上方及び薬剤収納空間Ｓ側に開口する状態で形成されている。
【００４６】
そのため、容器本体Ａの各薬剤収納空間Ｓ内の所定仕切り位置に仕切り体Ｃを装着する場合、仕切り体Ｃの下端部を最小区画底壁部分３Ａの傾斜上面に沿って低位側に滑り移動させ、仕切り体Ｃの下端部の一側面が最小区画底壁部分３Ａの一端部に形成された段差部５に当接した時点で、最小区画底壁部分３Ａの一端部に形成した係合部４の下側係合凹部４Ａに対して仕切り体Ｃの下端部の両下側係合片６を落し込み形態で係合させることができる。
【００４７】
しかも、このとき、容器本体Ａの外周側の側壁部１における上側壁面体１Ｃ及び内部仕切り側の側壁部２における上側壁面体２Ｂに形成された係合部４の上側係合凹部４Ｂに対して、仕切り体Ｃの両横側部に突出形成された上側係止片７を同時に落し込み形態で係合させることができから、仕切り体Ｃを位置ずれのない状態で迅速・容易に装着することができる。
【００４８】
尚、容器本体Ａの各薬剤収納空間Ｓ内の所定仕切り位置に仕切り体Ｃを装着するにあたっては、上述の如く、仕切り体Ｃを最小区画底壁部分３Ａの傾斜上面に沿って低位側に滑り移動させながら簡便に装着することができるが、係合部４の下側係合凹部４Ａ及び上側係合凹部４Ｂの鉛直線上に仕切り体Ｃを位置合わせした状態で当該仕切り体Ｃを落し込み操作しながら下側係合凹部４Ａ及び上側係合凹部４Ｂに係合させることもできる。
【００４９】
仕切り体Ｃは、図５に示すように、薄板状の仕切り板部８の下端部及び両横側部に、下側係合凹部４Ａ及び上側係合凹部４Ｂの幅と同一又は若干小なる厚みで厚み方向の両側に突出する端縁補強リブ８Ａ，８Ｂを形成し、この端縁補強リブ８Ａ，８Ｂの一部を利用して前記下側係合片６及び上側係止片７が一体形成されている。
【００５０】
また、仕切り板部８の上下中間位置には、端縁補強リブ８Ａ，８Ｂと同じ厚みで水平方向に横断する中央補強リブ８Ｃが一体形成されているとともに、仕切り板部８の上側辺８ａの中間部位には、その上側辺８ａよりも下方に入り込む半円状の摘み操作用凹部９が形成されている。
【００５１】
そのため、容器本体Ａの薬剤収納空間Ｓ内に装着された仕切り体Ｃで区画されている薬剤収納最小単位空間Ｓａ内の収納薬剤を取り出す際、仕切り体Ｃの上側辺８ａの中間部位に形成した摘み操作用凹部９から収納薬剤の上側部が露出するとともに、収納薬剤の上側部を摘んだ指と仕切り体Ｃとが干渉することを抑制することができるから、仕切り体Ｃで区画形成された薬剤収納最小単位空間Ｓａの前後幅が狭い条件下でも収納薬剤を容易に取り出すことができる。
【００５２】
また、前記各薬剤収納空間Ｓを曜日単位で区画する仕切り体Ｃは、各薬剤収納空間Ｓ単位で色分け形成されている。
例えば、服用時間帯が最も早い「朝」に対応する第１列目の薬剤収納空間Ｓに用いられる仕切り体Ｃは赤色に、服用時間帯が二番目となる「昼」に対応する第２列目の薬剤収納空間Ｓに用いられる仕切り体Ｃは緑色に、服用時間帯が三番目となる「夕」に対応する第３列目の薬剤収納空間Ｓに用いられる仕切り体Ｃは青色に、服用時間帯が最終となる「寝前」に対応する第４列目の薬剤収納空間Ｓに用いられる仕切り体Ｃは白色にそれぞれ設定してある。
【００５３】
このように容器本体Ａの各薬剤収納空間Ｓ内に装着されている仕切り体Ｃの色分けを見るだけで、朝、昼、夕、寝前のいずれに属する薬剤なのかを視覚的に簡単に区別することができ、薬の取り間違いを抑制することができる。
【００５４】
蓋体Ｂは、平面視矩形状の天井壁面体１１とそれの周縁に連続する周壁面体１２とが主要構成として備えられ、周壁面体１２の下端部には、容器本体Ａの外周側の側壁部１に対して上方から嵌合可能で、且つ、嵌合状態では外周側の側壁部１の上側壁面体１Ｃに載置可能な環状載置面１２ａを備えた横断面形状がＬ字状の嵌合装着部１２Ａが形成されている。
【００５５】
また、蓋体Ｂの天井壁面体１１には、該蓋体Ｂの長辺方向に沿って下方に溝状に窪む複数の補強横溝部１１Ａが、蓋体Ｂの短辺方向に所定間隔をおいて形成されている。
【００５６】
尚、上述の第１実施形態では、容器本体Ａに、一週間分の薬剤を朝、昼、夕、寝前の一日４回分に区別した状態で各別に収納可能な上方開口の薬剤収納空間Ｓを形成したが、容器本体Ａに、一週間分の薬剤を朝、昼、夕の一日３回分に区別した状態で各別に収納可能な上方開口の薬剤収納空間Ｓを形成してもよい。
【００５７】
また、上述の第１実施形態では、薬剤収納空間Ｓを区画形成する側壁部１，２と底壁部３に、仕切り体Ｃを所定仕切り位置で脱着自在に係合保持する凹状の係合部４を形成したが、この凹状の係合部４を、薬剤収納空間Ｓを区画形成する側壁部１，２又は底壁部３のいずれか一方に形成してもよい。
【００５８】
さらに、薬剤収納空間Ｓを区画形成する側壁部１，２と底壁部３との少なくとも一方に、仕切り体Ｃを所定仕切り位置で脱着自在に係合保持する凸状の係合部４を形成してもよい。
【００５９】
〔第２実施形態〕
図８は薬剤管理ケースの別の実施形態を示し、これは、前記仕切り体Ｃを、ハニカム状の中芯（リブ）構造を備える合成樹脂製ダンボール１３を基材として、容器本体Ａの各薬剤収納空間Ｓに脱着可能な形状に打ち抜き形成したものである。
【００６０】
この仕切り体Ｃの下端部には、最小区画底壁部分３Ａにおける服用時間表示部Ｄ１が存在する手前側の一端部に形成された係合部４の下側係合凹部４Ａに対して上方から係合可能な下側係合片６が一体形成されているとともに、仕切り体Ｃの両横側部の上端側には、外周側の側壁部１における上側壁面体１Ｃ及び内部仕切り側の側壁部２における上側壁面体２Ｂに形成された係合部４の上側係合凹部４Ｂに対して上方から係合可能な上側係止片７が一体形成されている。
【００６１】
尚、その他の構成は、第１実施形態で説明した構成と同一であるから、同一の構成箇所には、第１実施形態と同一の番号を付記してそれの説明は省略する。
【００６２】
〔第３実施形態〕
図９、図10は薬剤管理ケースの別の実施形態を示し、これは、合成樹脂製（熱可塑性樹脂）のシート又はフィルムを基材とする真空成形により形成された平面視矩形状の不透明な容器本体Ａと、当該容器本体Ａと同一の合成樹脂製のシート又はフィルムを基材とする真空成形により形成された透明な蓋体（図示しないが、形状は第１実施形態と同一）、及び、容器本体Ａに形成された一週間分の薬剤を曜日単位で各別に収納可能な上方開口の薬剤収納空間Ｓを朝、昼、夕、寝前の一日4回分に区別した状態で区画する仕切り体Ｃとから構成されている。
【００６３】
容器本体Ａには、平面視矩形状の外周側の側壁部１と、この外周側の側壁部１で囲まれた内部空間を短辺方向で７つの薬剤収納空間Ｓに区画形成する６つの内部仕切り側の側壁部２、及び、外周側の側壁部１における内側壁面体１Ａの下端縁と内部仕切り側の側壁部２における内側壁面体２Ａの下端縁とに連続する底壁部３とが主要構成として備えられているとともに、薬剤収納空間Ｓを区画形成する側壁部１，２と底壁部３には、仕切り体Ｃを所定仕切り位置で脱着自在に係合保持する凹状の係合部４が形成されている。
【００６４】
底壁部３の最小区画底壁部分３Ａの境界相当部位には、仕切り体Ｃの下端部の中央に突出形成した下側係合片６が上方から係合して当該仕切り体Ｃを所定仕切り位置に係合保持する係合部４の下側係合凹部４Ａが上方に開口する状態で形成されている。
【００６５】
容器本体Ａのうち、外周側の側壁部１における上側壁面体１Ｃ及び内部仕切り側の側壁部２における上側壁面体２Ｂには、仕切り体Ｃの両横側部の上端側に突出形成された上側係止片７が上方から係合して当該仕切り体Ｃを所定仕切り位置に係合保持する係合部４の上側係合凹部４Ｂが、上方及び薬剤収納空間Ｓ側に開口する状態で形成されている。
【００６６】
内部仕切り側の側壁部２における各薬剤収納最小単位空間Ｓａの長辺方向中間部には、それの上側辺となる上側壁面体２Ｂよりも下方に入り込む凹状の第２摘み操作用凹部１４が形成されている。
【００６７】
尚、その他の構成は、第１実施形態で説明した構成と同一であるから、同一の構成箇所には、第１実施形態と同一の番号を付記してそれの説明は省略する。
【００６８】
〔その他の実施形態〕
（１）上述の各実施形態では、容器本体Ａに対して蓋体Ｂを脱着自在に構成したが、この蓋体Ｂを容器本体Ａに対して揺動開閉自在に枢支連結してもよく、さらに、蓋体Ｂを容器本体Ａに対してスライド開閉自在に構成してもよい。
【００６９】
（２）上述の第１実施形態では、前記各薬剤収納空間Ｓを曜日単位で区画する仕切り体Ｃを、各薬剤収納空間Ｓ単位で色分け形成したが、この仕切り体Ｃの形状を各薬剤収納空間Ｓ単位で変えてもよい。
また、前記各薬剤収納空間Ｓを曜日単位で区画する仕切り体Ｃを全て同一色又は同一形状に構成してもよい。
【００７０】
（３）上述の各実施形態では、前記容器本体Ａ及び蓋体Ｂを合成樹脂製（熱可塑性樹脂）のシート又はフィルムを基材とする真空成形により形成したが、真空圧空成形方法、圧空成形方法、加圧プレス成形方法で形成してもよい。
【産業上の利用可能性】
【００７１】
以上説明したように、製造コストの低廉化と軽量化とを図ることができるとともに、不使用の薬剤収納空間を服用単位の薬剤よりも大きな表面積を有する常備薬等の管理にも便利に使用することのできる薬剤管理ケースを提供することができる。
【符号の説明】
【００７２】
Ａ        容器本体
Ｂ        蓋体
Ｃ        仕切り体
Ｓ        薬剤収納空間
１        側壁部
２        側壁部（外周側の側壁部）
３        底壁部（内部仕切り側の側壁部）
３Ａ      最小区画底壁部分
４        係合部
４Ａ      下側係合凹部
４Ｂ      上側係合凹部
５        段差部
６        下側係合片
７        上側係合片
９        摘み操作用凹部
【図１】
2013169241.tif 000003
【図２】
2013169241.tif 000004
【図３】
2013169241.tif 000005
【図４】
2013169241.tif 000006
【図５】
2013169241.tif 000007
【図６】
2013169241.tif 000008
【図７】
2013169241.tif 000009
【図８】
2013169241.tif 000010
【図９】
2013169241.tif 000011
【図１０】
2013169241.tif 000012